(57)【要約】    【課題】      間欠受信モードでの消費電力を低減すること。    【解決手段】  ＲＦ（Radio Frequency）受信部１０３は、所定の間欠受信制御に従って動作し信号を受信する。コンデンサ１０４、１０５は、受信信号のＤＣオフセット成分を除去する。記憶部１１１は、コンデンサ１０４、１０５による時定数に起因して生じる過渡応答を示すデータを取得する。減算部１１３、１１４は、取得された過渡応答データに基づいて、受信信号の波形を補正する。  【選択図】      図２
2006080689.tif 000002
【特許請求の範囲】
【請求項１】
所定の間欠受信制御に従って動作し信号を受信する受信手段と、
受信信号の直流成分を除去する除去手段と、
前記除去手段による時定数に起因して生じる過渡応答を示すデータを取得する取得手段と、
取得された過渡応答データに基づいて、受信信号の波形を補正する補正手段と、
を有することを特徴とする無線受信装置。
【請求項２】
前記取得手段は、
過渡応答データを予め記憶しておく記憶手段と、
前記受信手段による受信が前記間欠受信制御に従って開始されるときに、記憶されている過渡応答データを読み出す読み出し手段と、
を有することを特徴とする請求項１記載の無線受信装置。
【請求項３】
アンテナと、
前記アンテナから前記受信手段への信号供給を遮断する遮断手段と、を有し、
前記受信手段は、
前記アンテナからの信号供給が遮断されているときに所定の無線受信処理を行う、
ことを特徴とする請求項１記載の無線受信装置。
【請求項４】
前記遮断手段は、
電源が投入されたときに、信号供給の遮断を行う、
ことを特徴とする請求項３記載の無線受信装置。
【請求項５】
前記遮断手段は、
所定の個体調整処理が行われるときに、信号供給の遮断を行う、
ことを特徴とする請求項３記載の無線受信装置。
【請求項６】
受信信号は、同相成分および直交成分を有し、
前記取得手段は、
同相成分および直交成分にそれぞれ対応する過渡応答データを取得する、
ことを特徴とする請求項１記載の無線受信装置。
【請求項７】
前記取得手段は、
過渡応答を示す波形のノイズ成分を抑圧する抑圧手段を有し、
ノイズ成分が抑圧された過渡応答波形を過渡応答データとする、
ことを特徴とする請求項１記載の無線受信装置。
【請求項８】
所定の間欠受信制御に従って動作し信号を受信する受信手段と、受信信号の直流成分を除去する除去手段と、を有する無線受信装置にて用いられる信号波形補正方法であって、
前記除去手段による時定数に起因して生じる過渡応答を示すデータを取得する取得ステップと、
取得した過渡応答データに基づいて、受信信号の波形を補正する補正ステップと、
を有することを特徴とする信号波形補正方法。
【請求項９】
所定の間欠受信制御に従って動作し信号を受信する受信手段と、受信信号の直流成分を除去する除去手段と、を有する無線受信装置にて用いられる信号波形補正プログラムであって、コンピュータに、
前記除去手段による時定数に起因して生じる過渡応答を示すデータを取得する取得機能と、
取得された過渡応答データに基づいて、受信信号の波形を補正する補正機能と、
を実現させるための信号波形補正プログラム。
【発明の詳細な説明】
【技術分野】
【０００１】
本発明は、ディジタル無線通信システムで用いられる無線受信装置および信号波形補正方法に関する。
【背景技術】
【０００２】
近年のディジタル無線通信技術の発展により、データを無線受信するデータ受信装置の需要は増加傾向にある。これに伴い、データ受信装置の小型化・低価格化に対する要求は強まっており、この要求に応えるための様々な技法が提案されている。その一例としては、例えばダイレクトコンバージョン方式が挙げられる。ダイレクトコンバージョン方式のデータ受信装置では、受信した無線信号を、これと同一周波数を持つローカル信号とミキシングすることによって、無線信号を高周波信号からベースバンド信号に直接的に変換する（例えば、特許文献１参照）。
【０００３】
以下、従来のデータ受信装置およびその動作について、図面を用いて概説する。図６は、従来のデータ受信装置の構成の一例を示すブロック図であり、図７は、従来のデータ受信装置におけるデータ受信動作の一例を説明するための図である。
【０００４】
入力端子１から入力されたＲＦ（Radio Frequency）受信信号は、ＲＦ受信部２にてベースバンド帯の信号に周波数変換される。ＲＦ受信部２は、ＯＮ／ＯＦＦ制御部３によりＯＮ／ＯＦＦ制御される。周波数変換された受信信号は、受信信号の同相成分に対応するＩ−ｃｈ（In-phase CHannel）ベースバンド信号と、受信信号の直交成分に対応するＱ−ｃｈ（Quadrature CHannel）ベースバンド信号と、に分離され、これらのベースバンド信号がコンデンサ４、５にそれぞれ供給される。Ｉ−ｃｈベースバンド信号は、コンデンサ４により、そのＤＣ（Direct Current）オフセット成分を除去され、Ｑ−ｃｈベースバンド信号は、コンデンサ５により、そのＤＣオフセット成分を除去される。ＤＣオフセット成分を除去されたＩ−ｃｈベースバンド信号およびＱ−ｃｈベースバンド信号は、Ａ／Ｄ（Analog to Digital）変換部６、７によりそれぞれアナログディジタル変換され、ベースバンド処理部８にて、例えば同期獲得処理、復調処理およびレベル測定処理などを含む所定のベースバンド処理を施され、復調信号となる。
【０００５】
ここで、ＤＣオフセット成分とは、ＲＦ受信部２の各出力基準レベルおよびＡ／Ｄ変換部６、７の各入力基準レベルの差によって発生する不要な信号成分である。
【０００６】
コンデンサ４、５は、このようなＤＣオフセット成分を除去（補償）するために設けられた素子である。ＯＮ／ＯＦＦ制御部３がＲＦ受信部２をオンにすると、コンデンサ４、５による時定数に起因して受信信号の基準レベルが変動する。各コンデンサ４、５の出力基準レベルの変動、すなわち、過渡応答が収束するまでに、ある程度の時間を要する。
【０００７】
ところで、一般に、データ受信装置は、通常の連続受信動作を実行する連続受信モードと間欠受信動作を実行する間欠受信モードとを有する。ＯＮ／ＯＦＦ制御部３は、連続受信モードおよび間欠受信モードのそれぞれにおいて所定のＯＮ／ＯＦＦ制御を、ＲＦ受信部２に対して行う。ＲＦ受信部２は、このＯＮ／ＯＦＦ制御により、受信の開始および停止を繰り返す（つまり間欠受信を行う）ため、受信が開始されるたびに過渡応答が発生することとなる。過渡応答が発生しているときに信号を受信しベースバンド処理を行うと、受信誤り率が劣化する。そのため、図７に示すように、過渡応答発生期間をコンデンサ４、５のプリチャージのための期間として、ベースバンド処理を実行する期間の前に設けることがある。すなわち、ＯＮ／ＯＦＦ制御部３は、過渡応答発生期間分前倒しでＲＦ受信部２をオンすることで、ベースバンド処理期間において基準レベルが変動しないようにする。このようにして、従来のデータ受信装置では、受信誤り率を劣化させることなく受信処理を行っている。
【特許文献１】特開平６−２４４７５４号公報
【発明の開示】
【発明が解決しようとする課題】
【０００８】
しかしながら、上記従来のデータ受信装置においては、特に間欠受信モードのとき、受信が開始されるたびにプリチャージ期間が設けられるため、これに伴って消費電力が増加するという問題がある。
【０００９】
本発明は、かかる点に鑑みてなされたもので、間欠受信モードでの消費電力を低減することができる無線受信装置および信号波形補正方法を提供することを目的とする。
【課題を解決するための手段】
【００１０】
本発明の無線受信装置は、所定の間欠受信制御に従って動作し信号を受信する受信手段と、受信信号の直流成分を除去する除去手段と、前記除去手段による時定数に起因して生じる過渡応答を示すデータを取得する取得手段と、取得された過渡応答データに基づいて、受信信号の波形を補正する補正手段と、を有する構成を採る。
【００１１】
この構成によれば、受信信号の直流成分を除去する除去手段（例えば、コンデンサ）による時定数に起因して生じる過渡応答を示すデータに基づいて、受信信号の波形を補正するため、除去手段による時定数に起因して過渡応答が発生する期間をベースバンド処理期間の前に設ける必要をなくすことができ、受信誤り率の安定化のためのプリチャージ期間を短縮することができ、よって、間欠受信モードでの消費電力を低減することができる。
【００１２】
本発明の無線受信装置は、上記構成において、前記取得手段は、過渡応答データを予め記憶しておく記憶手段と、前記受信手段による受信が前記間欠受信制御に従って開始されるときに、記憶されている過渡応答データを読み出す読み出し手段と、を有する構成を採る。
【００１３】
この構成によれば、過渡応答データを予め記憶しておくため、間欠受信制御に従って受信動作が実行されるたびに新たな過渡応答データの取得を行う必要をなくすことができる。
【００１４】
本発明の無線受信装置は、上記構成において、アンテナと、前記アンテナから前記受信手段への信号供給を遮断する遮断手段と、を有し、前記受信手段は、前記アンテナからの信号供給が遮断されているときに所定の無線受信処理を行う、構成を採る。
【００１５】
この構成によれば、信号供給が遮断されているときの無線受信処理の結果物（つまり、出力される信号）が、所定レベルの直流成分を有する信号となり、当該結果物の入力先である除去手段の過渡応答を正確に取得することが可能となる。
【００１６】
本発明の無線受信装置は、上記構成において、前記遮断手段は、電源が投入されたときに、信号供給の遮断を行う、構成を採る。
【００１７】
この構成によれば、電源投入されるたびに除去手段の過渡応答を正確に取得することができ、例えば除去手段の容量値などの経年変化による過渡応答の変化に追従することができる。
【００１８】
本発明の無線受信装置は、上記構成において、前記遮断手段は、所定の個体調整処理が行われるときに、信号供給の遮断を行う、構成を採る。
【００１９】
この構成によれば、製造工程において過渡応答データを取得し保持しておくことができ、電源投入時に過渡応答データを取得する場合に比して電源投入時の制御を簡略化することができる。
【００２０】
本発明の無線受信装置は、上記構成において、受信信号は、同相成分および直交成分を有し、前記取得手段は、同相成分および直交成分にそれぞれ対応する過渡応答データを取得する、構成を採る。
【００２１】
この構成によれば、同相成分および直交成分の各々の信号波形を正確に補正することができる。
【００２２】
本発明の無線受信装置は、上記構成において、前記取得手段は、過渡応答を示す波形のノイズ成分を抑圧する抑圧手段を有し、ノイズ成分が抑圧された過渡応答波形を過渡応答データとする、構成を採る。
【００２３】
この構成によれば、信号波形補正の精度を向上させることができる。
【００２４】
本発明の信号波形補正方法は、所定の間欠受信制御に従って動作し信号を受信する受信手段と、受信信号の直流成分を除去する除去手段と、を有する無線受信装置にて用いられる信号波形補正方法であって、前記除去手段による時定数に起因して生じる過渡応答を示すデータを取得する取得ステップと、取得した過渡応答データに基づいて、受信信号の波形を補正する補正ステップと、を有するようにした。
【００２５】
この方法によれば、受信信号の直流成分を除去する除去手段による時定数に起因して生じる過渡応答を示すデータに基づいて、受信信号の波形を補正するため、除去手段による時定数に起因して過渡応答が発生する期間をベースバンド処理期間の前に設ける必要をなくすことができ、受信誤り率の安定化のためのプリチャージ期間を短縮することができ、よって、間欠受信モードでの消費電力を低減することができる。
【００２６】
本発明の信号波形補正プログラムは、所定の間欠受信制御に従って動作し信号を受信する受信手段と、受信信号の直流成分を除去する除去手段と、を有する無線受信装置にて用いられる信号波形補正プログラムであって、コンピュータに、前記除去手段による時定数に起因して生じる過渡応答を示すデータを取得する取得機能と、取得された過渡応答データに基づいて、受信信号の波形を補正する補正機能と、を実現させるようにした。
【００２７】
このプログラムによれば、受信信号の直流成分を除去する除去手段による時定数に起因して生じる過渡応答を示すデータに基づいて、受信信号の波形を補正するため、除去手段による時定数に起因して過渡応答が発生する期間をベースバンド処理期間の前に設ける必要をなくすことができ、受信誤り率の安定化のためのプリチャージ期間を短縮することができ、よって、間欠受信モードでの消費電力を低減することができる。
【発明の効果】
【００２８】
以上説明したように、本発明によれば、間欠受信モードでの消費電力を低減することができる。
【発明を実施するための最良の形態】
【００２９】
本発明の骨子は、受信信号の直流成分を除去する除去手段（例えば、コンデンサ）による時定数に起因して生じる過渡応答を示すデータに基づいて、受信信号の波形を補正することである。
【００３０】
以下、本発明の実施の形態について、図面を用いて詳細に説明する。
【００３１】
（実施の形態１）
図１は、本発明の実施の形態１に係るデータ受信装置を備えた移動体通信端末装置の構成を示すブロック図である。図１の移動体通信端末装置は、後述するデータ受信装置１０と、送信データ生成、ベースバンド送信信号生成ならびに送信信号の周波数変換および増幅などを行うデータ送信装置２０と、アンテナ４０をデータ受信装置１０およびデータ送信装置２０で共用するためのアンテナ共用器３０と、信号の送受信に用いられるアンテナ４０と、を有する。
【００３２】
図２は、本実施の形態に係るデータ受信装置１０の内部構成を示すブロック図である。図２のデータ受信装置１０は、入力端子１０１、切替スイッチ１０２、ＲＦ受信部１０３、コンデンサ１０４、１０５、Ａ／Ｄ変換部１０６、１０７、切替スイッチ１０８、１０９、平均化演算部１１０、記憶部１１１、メモリ制御部１１２、減算部１１３、１１４、ベースバンド処理部１１５、調整切替制御部１１６およびＯＮ／ＯＦＦ制御部１１７を有する。
【００３３】
入力端子１０１は、アンテナ４０を介して受信されアンテナ共用器３０から供給される無線信号（受信信号）をデータ受信装置１０の内部に供給するためのものである。
【００３４】
切替スイッチ１０２は、入力端子１０１から入力された受信信号のＲＦ受信部１０３への供給およびその供給を遮断する。また、ＲＦ受信部１０３への受信信号の供給およびその供給の遮断は、調整切替制御部１１６の制御により行われる。
【００３５】
ＲＦ受信部１０３は、切替スイッチ１０２からの受信信号の増幅および増幅された受信信号のダウンコンバートなどを含む所定の無線受信処理を行う。ＲＦ受信部１０３において、受信信号は、その同相成分および直交成分にそれぞれ対応するＩ−ｃｈベースバンド信号およびＱ−ｃｈベースバンド信号に分離され出力される。ＲＦ受信部１０３は、ＯＮ／ＯＦＦ制御部１１７の制御に応じてスタンバイ制御される。ＲＦ受信部１０３の動作は、ＯＮ／ＯＦＦ制御部１１７によりオンに切り替えられたときに開始され、ＯＮ／ＯＦＦ制御部１１７によりオフに切り替えられたときに停止される。
【００３６】
なお、本実施の形態のＲＦ受信部１０３は、好ましくはダイレクトコンバージョン方式に基づく構成を有するが、ヘテロダイン方式などのような他の方式に基づくものであっても良い。
【００３７】
コンデンサ１０４は、ＲＦ受信部１０３からのＩ−ｃｈベースバンド信号に含まれるＤＣオフセット成分を除去する。コンデンサ１０５は、ＲＦ受信部１０３からのＱ−ｃｈベースバンド信号に含まれるＤＣオフセット成分を除去する。ＲＦ受信部１０３がオンされたとき、コンデンサ１０４、１０５による時定数に起因して過渡応答が発生する。この過渡応答が収束するまでにある程度の時間を要する。、過渡応答が発生している期間においては、コンデンサ１０４、１０５の出力信号の波形には、発生した過渡応答に相当する成分が含まれることとなる。
【００３８】
Ａ／Ｄ変換部１０６は、コンデンサ１０４の出力信号をディジタルデータに変換する。Ａ／Ｄ変換部１０７は、コンデンサ１０５の出力信号をディジタルデータに変換する。
【００３９】
切替スイッチ１０８は、Ａ／Ｄ変換部１０６の出力信号を、減算部１１３および平均化演算部１１０のいずれか一方に出力する。出力先の切替は、調整切替制御部１１６の制御に応じて行われる。より具体的には、調整切替制御部１１６の制御に従って切替スイッチ１０２がＲＦ受信部１０３への受信信号の供給を遮断しているとき、切替スイッチ１０８は、平均化演算部１１０への出力を行う。一方、調整切替制御部１１６の制御に従って切替スイッチ１０２がＲＦ受信部１０３への受信信号の供給を行っているとき、切替スイッチ１０８は、減算部１１３への出力を行う。
【００４０】
切替スイッチ１０９は、Ａ／Ｄ変換部１０７の出力信号を、減算部１１４および平均化演算部１１０のいずれか一方に出力する。出力先の切替は、調整切替制御部１１６の制御に応じて行われる。より具体的には、調整切替制御部１１６の制御に従って切替スイッチ１０２がＲＦ受信部１０３への受信信号の供給を遮断しているとき、切替スイッチ１０９は、平均化演算部１１０への出力を行う。一方、調整切替制御部１１６の制御に従って切替スイッチ１０２がＲＦ受信部１０３への受信信号の供給を行っているとき、切替スイッチ１０９は、減算部１１４への出力を行う。
【００４１】
平均化演算部１１０は、Ａ／Ｄ変換部１０６、１０７からの出力信号（Ｉ−ｃｈベースバンド信号およびＱ−ｃｈベースバンド信号）に含まれるノイズ成分を抑圧することで、過渡応答データを生成する。より具体的には、平均化演算部１１０は、Ａ／Ｄ変換部１０６からＩ−ｃｈベースバンド信号を複数回受け、サンプリングタイミングが同一のサンプル毎に信号波形の平均化演算を行う。また、Ａ／Ｄ変換部１０７からＱ−ｃｈベースバンド信号を複数回受け、サンプリングタイミングが同一のサンプル毎に信号波形の平均化演算を行う。なお、この演算の途中結果は、記憶部１１１内のメモリ部１１１ａにテンポラリに保持されるようにしても良い。このようにして生成された過渡応答データは、メモリ制御部１１２からの制御により、記憶部１１１内のメモリ部１１１ａに格納される。
【００４２】
記憶部１１１は、過渡応答データを蓄積するためのメモリ部１１１ａを有し、メモリ部１１１ａへの過渡応答データの書き込みおよびメモリ部１１１ａからの過渡応答データの読み出しを行う。読み出された過渡応答データのうち、Ｉ−ｃｈに対応するものは、減算部１１３に、Ｑ−ｃｈに対応するものは、減算部１１４に、それぞれ供給される。
【００４３】
メモリ制御部１１２は、調整切替制御部１１６およびＯＮ／ＯＦＦ制御部１１７の制御に応じて、記憶部１１１によるメモリ部１１１ａへの書き込み／読み出しを制御する。
【００４４】
減算部１１３は、Ａ／Ｄ変換部１０６の出力信号であるＩ−ｃｈベースバンド信号を受ける。また、記憶部１１１からＩ−ｃｈに対応する過渡応答データが供給されたとき、減算部１１３は、受信したＩ−ｃｈベースバンド信号から、供給された過渡応答データを減算し、減算結果をベースバンド処理部１１５に出力する。一方、記憶部１１１からＩ−ｃｈに対応する過渡応答データが供給されないとき、減算部１１３は、受信したＩ−ｃｈベースバンド信号をそのままベースバンド処理部１１５に出力する。
【００４５】
減算部１１４は、Ａ／Ｄ変換部１０７の出力信号であるＱ−ｃｈベースバンド信号を受ける。また、記憶部１１１からＱ−ｃｈに対応する過渡応答データが供給されたとき、減算部１１４は、受信したＱ−ｃｈベースバンド信号から、供給された過渡応答データを減算し、減算結果をベースバンド処理部１１５に出力する。一方、記憶部１１１からＱ−ｃｈに対応する過渡応答データが供給されないとき、減算部１１４は、受信したＱ−ｃｈベースバンド信号をそのままベースバンド処理部１１５に出力する。
【００４６】
ベースバンド処理部１１５は、減算部１１３、１１４の出力信号に対して、例えば同期獲得処理、復調処理およびレベル測定処理などを含む所定のベースバンド処理を施す。ベースバンド処理を施された信号は、復調信号として出力される。
【００４７】
調整切替制御部１１６は、通常の連続受信モードのとき、および、間欠受信モードのとき、切替スイッチ１０２によるＲＦ受信部１０３への信号供給が行われるよう切替スイッチ１０２を制御するとともに、切替スイッチ１０８、１０９の信号出力先がそれぞれ減算部１１３、１１４となるよう切替スイッチ１０８、１０９を制御する。また、調整切替制御部１１６は、例えば、データ受信装置１０を備えた移動体通信端末装置の電源が投入されてから所定期間が経過するまでの期間において、切替スイッチ１０２によるＲＦ受信部１０３への信号供給が遮断されるよう切替スイッチ１０２を制御するとともに、切替スイッチ１０８、１０９の信号出力先がいずれも平均化演算部１１０となるよう切替スイッチ１０８、１０９を制御する。この期間（以下「過渡応答データ取得期間」と言う）は、連続受信モードおよび間欠受信モードに基づく無線受信処理が実行される期間よりも前である。換言すれば、過渡応答データを取得するための動作モードは、連続受信モードおよび間欠受信モードよりも先に実行される。また、調整切替制御部１１６は、メモリ制御部１１２の動作を制御する。
【００４８】
ＯＮ／ＯＦＦ制御部１１７は、通常の連続受信モードのとき、ＲＦ受信部１０３をオンの状態に固定する。間欠受信モードのときは、ＲＦ受信部１０３のオンオフを所定のタイミングで繰り返す。また、過渡応答データ取得期間においても、ＲＦ受信部１０３のオンオフを所定のタイミングで繰り返す。また、間欠受信モードのときは、過渡応答発生期間において記憶部１１１に過渡応答データの読み出しを行わせるようメモリ制御部１１２を制御する。
【００４９】
次いで、上記構成を有するデータ受信装置１０における、過渡応答データ取得動作および信号波形補正動作について順に説明する。
【００５０】
まず、図３を参照しながら、過渡応答データ取得動作について説明する。
【００５１】
電源投入直後であり連続受信モードおよび間欠受信モードの開始前である過渡応答データ取得期間において、調整切替制御部１１６の制御により切替スイッチ１０２をオフにしてＲＦ受信部１０３への信号供給を遮断し、また、切替スイッチ１０８、１０９の出力端子を平均化演算部１１０に接続する。そして、ＯＮ／ＯＦＦ制御部１１７の制御により、ＲＦ受信部１０３をオンにする。このとき、ＲＦ受信部１０３への信号供給は遮断されているため、ＲＦ受信部１０３から出力されるＩ−ｃｈベースバンド信号およびＱ−ｃｈベースバンド信号は、受信信号成分を含まず、所定の基準レベルを有する信号成分のみを含む。このようなベースバンド信号を用いることにより、当該信号の入力先であるコンデンサ１０４、１０５による時定数に起因する過渡応答を正確に検出することが可能となる。
【００５２】
これらのＩ−ｃｈベースバンド信号およびＱ−ｃｈベースバンド信号は、それぞれコンデンサ１０４、１０５によりそのＤＣオフセット成分を除去される。コンデンサ１０４、１０５を介して出力されるＩ−ｃｈベースバンド信号およびＱ−ｃｈベースバンド信号は、過渡応答を表した波形を含む。
【００５３】
なお、本実施の形態では、コンデンサ１０４、１０５による各時定数は互いに同一であると仮定する。よって、本実施の形態の説明および説明に供する図面では、発生した過渡応答がＩ−ｃｈおよびＱ−ｃｈのどちらに関連したものであるかについて、必要な場合を除いて特に言及しない。また、当業者には明らかなことであるが、コンデンサ１０４、１０５による各時定数が互いに異なっているとしても、本実施の形態では信号波形補正を同相成分と直交成分とで互いに独立で行うので、同相成分および直交成分の各々の信号波形を正確に補正することができる。
【００５４】
コンデンサ１０４、１０５から出力されたＩ−ｃｈベースバンド信号およびＱ−ｃｈベースバンド信号は、Ａ／Ｄ変換部１０６、１０７で、それぞれディジタルデータに変換される。これらのデータは平均化演算部１１０に供給される。より好ましくは、Ｉ−ｃｈベースバンド信号およびＱ−ｃｈベースバンド信号は、過渡応答発生期間においてのみ、つまり、過渡応答波形を含んでいる期間においてのみ、平均化演算部１１０に供給される。その後、所定のタイミングにて、ＯＮ／ＯＦＦ制御部１１７の制御により、ＲＦ受信部１０３をオフにする。
【００５５】
上記の一連の動作サイクルを、図３に示すように、幾度か繰り返し実行する。
【００５６】
そして、平均化演算部１１０では、各動作サイクルで得られるベースバンド信号の平均化演算を行う。より具体的には、各動作サイクルで得られる各ベースバンド信号のサンプルを用いて、Ｉ−ｃｈとＱ−ｃｈとで互いに独立に、サンプリングタイミングが同一のサンプル毎に平均化演算を行う。平均化演算の最終結果は、メモリ制御部１１２の制御に従って動作する記憶部１１１によって、過渡応答を示す過渡応答データとしてメモリ部１１１ａに書き込まれる。
【００５７】
このようにして、各サンプルに重畳している、ＲＦ受信部１０３で発生するノイズ成分を抑圧する。これにより、信号波形補正の精度を向上させることができる。また、連続受信モードや間欠受信モードに基づく受信動作が実行される前に、予め過渡応答データを記憶しておくため、間欠受信制御に従って受信動作が実行されるたびに過渡応答データを取得する必要をなくすことができる。
【００５８】
過渡応答データのメモリ部１１１ａへの書き込みを完了したとき、過渡応答データ取得期間は終了する。当該期間終了後、調整切替制御部１１６の制御により、切替スイッチ１０２によるＲＦ受信部１０３への信号供給が行われるよう切替スイッチ１０２をオンにするとともに、切替スイッチ１０８、１０９の出力端子を減算部１１３、１１４に切り替える。これにより、連続受信モードおよび間欠受信モードでのデータ受信動作が可能な状態となる。
【００５９】
次いで、図４を参照しながら、信号波形補正動作について説明する。
【００６０】
連続受信モードでは、減算部１１３、１１４はスルー状態となり、Ａ／Ｄ変換部１０６、１０７からのＩ−ｃｈベースバンド信号およびＱ−ｃｈベースバンド信号はそのままベースバンド処理部１１５に送られる。
【００６１】
一方、間欠受信モードでは、ＲＦ受信部１０３は、ＯＮ／ＯＦＦ制御部１１７の制御により間欠受信を行う。この場合、ＲＦ受信部１０３をオンにした際に、すなわち間欠受信の立ち上がり時に、信号の基準レベルが変動し、受信信号（同相成分および直交成分の各々）の波形に過渡応答波形が含まれる。そこで、ＲＦ受信部１０３をオンした際に、メモリ制御部１１２からの制御により、記憶部１１１が、メモリ部１１１ａに蓄積されている同相成分の過渡応答データおよび直交成分の過渡応答データをそれぞれ読み出し、減算部１１３、１１４にそれぞれ出力する。
【００６２】
そして、減算部１１３、１１４で、記憶部１１１からの同相成分および直交成分の各過渡応答データを、切替スイッチ１０８、１０９を介して供給される各ベースバンド信号のデータから減算する。これにより、過渡応答波形がベースバンド信号の波形から除去される。このようにして、受信信号の波形が補正される。
【００６３】
この信号波形補正動作が実行される場合、無線受信処理期間のうち過渡応答発生期間において、受信信号の波形が補正される。つまり、過渡応答発生期間は、信号波形補正期間と実質的に同等である。したがって、波形が補正されたベースバンド信号が常にベースバンド処理部１１５に供給されるため、ベースバンド処理部１１５は、過渡応答発生期間においてもベースバンド処理を行うことが可能となる。すなわち、無線受信処理期間はベースバンド処理期間と実質的に同等となる。そして、間欠受信モードの場合に、ベースバンド処理期間の前に、過渡応答発生期間をコンデンサ１０４、１０５のプリチャージのための期間として設ける必要がない。
【００６４】
このように、本実施の形態によれば、受信信号のＤＣオフセット成分を除去するためのコンデンサ１０４、１０５の過渡応答を示すデータに基づいて、受信信号の波形を補正するため、過渡応答発生期間をベースバンド処理期間の前に設ける必要をなくすことができ、受信誤り率の安定化のためのプリチャージ期間を短縮することができ、よって、間欠受信モードでの消費電力を低減することができる。
【００６５】
また、本実施の形態によれば、データ受信装置１０の電源が投入されるたびに、過渡応答を正確に取得することができ、例えばコンデンサ１０４、１０５の容量値やＡ／Ｄ変換部１０６、１０７の入力インピーダンスなどの経年変化による過渡応答の変化に追従することができる。
【００６６】
また、本発明は上記の実施の形態に限定されず、様々な実施の形態にて実施することが可能である。例えば、本実施の形態で説明した信号波形補正方法を、コンピュータ上でソフトウェアとして実行しても良い。
【００６７】
例えば、上記実施の形態で説明した信号波形補正方法を実行するプログラムを予め例えばＲＯＭ（Read Only Memory）などの記録媒体に記録しておき、そのプログラムをＣＰＵ（Central Processor Unit）によって動作させる。これにより、データ受信装置１０のハードウェア規模ひいては移動体通信端末装置のハードウェア規模を削減することができる。
【００６８】
（実施の形態２）
図５は、本発明の実施の形態２に係るデータ受信装置の構成を示すブロック図である。なお、本実施の形態で説明するデータ受信装置１０は、実施の形態１で説明した図１のデータ受信装置１０と同様の基本的構成を有している。よって、同一の構成要素には同一の参照符号を付し、その詳細な説明を省略する。
【００６９】
図５のデータ受信装置１０は、実施の形態１で説明した記憶部１１１およびメモリ制御部１１２の代わりに、記憶部２０１およびメモリ制御部２０２を有し、さらに、不揮発メモリ部２０３を有する。その他の構成要素は、実施の形態１で説明したものと同一である。
【００７０】
記憶部２０１は、過渡応答データを蓄積するためのメモリ部２０１ａを有し、メモリ部２０１ａへの過渡応答データの書き込みおよびメモリ部２０１ａからの過渡応答データの読み出しを行う。過渡応答データが取得されたときは、読み出された過渡応答データは、不揮発メモリ部２０３に書き込まれる。信号波形補正を行うときは、読み出された過渡応答データのうち、Ｉ−ｃｈに対応するものは、減算部１１３に、Ｑ−ｃｈに対応するものは、減算部１１４に、それぞれ供給される。
【００７１】
メモリ制御部２０２は、実施の形態１で説明したメモリ制御部１１２の機能を実行する。また、これに加え、過渡応答データが取得されたときの不揮発メモリ部２０３への過渡応答データ書き込み、および、データ受信装置１０の電源が投入されたときの不揮発メモリ部２０３からの過渡応答データ読み出しを制御する。
【００７２】
不揮発メモリ部２０３は、記憶部２０１により書き込まれた過渡応答データを永続的に保持する。
【００７３】
上記構成を有する本実施の形態のデータ受信装置１０の場合、過渡応答データの取得動作は、データ受信装置１０の製造工程において個体調整が行われる際に、実施の形態１で説明したものと同様の手順で実行される。そして、取得された過渡応答データは、記憶部２０１によりメモリ部２０１ａから読み出され、不揮発メモリ部２０３に書き込まれる。
【００７４】
そして、不揮発メモリ部２０３に書き込まれた過渡応答データは、データ受信装置１０の電源投入時に記憶部２０１により読み出されメモリ部２０１ａに書き込まれる。これにより、実施の形態１と同様の手順で、受信信号の波形の補正動作を実行することが可能となる。
【００７５】
このように、本実施の形態によれば、製造工程において過渡応答データを取得し保持しておくことができ、電源投入時に過渡応答データを取得する場合に比して電源投入時の制御を簡略化することができる。
【００７６】
なお、本発明は上記の実施の形態に限定されず、様々な実施の形態にて実施することが可能である。例えば、本実施の形態で説明した信号波形補正方法を、コンピュータ上でソフトウェアとして実行しても良い。
【００７７】
例えば、上記実施の形態で説明した信号波形補正方法を実行するプログラムを予め例えばＲＯＭ（Read Only Memory）などの記録媒体に記録しておき、そのプログラムをＣＰＵ（Central Processor Unit）によって動作させる。これにより、データ受信装置１０のハードウェア規模ひいては移動体通信端末装置のハードウェア規模を削減することができる。
【産業上の利用可能性】
【００７８】
本発明の無線受信装置および信号波形補正方法は、間欠受信モードでの消費電力を低減する効果を有し、ディジタル無線通信システムにおいて有用である。
【図面の簡単な説明】
【００７９】
【図１】本発明の実施の形態１に係るデータ受信装置を備えた移動体通信端末装置の構成を示すブロック図
【図２】本発明の実施の形態１に係るデータ受信装置の構成を示すブロック図
【図３】本発明の実施の形態１に係るデータ受信装置の過渡応答データ取得動作を説明するための図
【図４】本発明の実施の形態１に係るデータ受信装置の信号波形補正動作を説明するための図
【図５】本発明の実施の形態２に係るデータ受信装置の構成を示すブロック図
【図６】従来のデータ受信装置の構成の例を示すブロック図
【図７】従来のデータ受信装置のデータ受信動作の例を説明するための図
【符号の説明】
【００８０】
１０  データ受信装置
１０１  入力端子
１０２、１０８、１０９  切替スイッチ
１０３  ＲＦ受信部
１０４、１０５  コンデンサ
１０６、１０７  Ａ／Ｄ変換部
１１０  平均化演算部
１１１、２０１  記憶部
１１１ａ、２０１ａ  メモリ部
１１２、２０２  メモリ制御部
１１３、１１４  減算部
１１５  ベースバンド処理部
１１６  調整切替制御部
１１７  ＯＮ／ＯＦＦ制御部
２０３  不揮発メモリ部
【図１】
2006080689.tif 000003
【図２】
2006080689.tif 000004
【図３】
2006080689.tif 000005
【図４】
2006080689.tif 000006
【図５】
2006080689.tif 000007
【図６】
2006080689.tif 000008
【図７】
2006080689.tif 000009